(57)【特許請求の範囲】
【請求項１】
天井先組み工法に用いられ、ユニット式ルームの天井パネルと壁パネルとを連結して固定するためのユニット式ルーム用パネル固定部材であって、
前記壁パネルに固定される固定部と、
前記天井パネルに係合可能な係合部と、
前記固定部と前記係合部とを連結し、前記天井パネルに対して下方側に向けて弾性変形可能な第１のバネ部と、
を有するユニット式ルーム用パネル固定部材。
【請求項２】
ユニット式ルームの天井パネルと壁パネルとを連結して固定するためのユニット式ルーム用パネル固定部材であって、
前記壁パネルに固定される固定部と、
前記天井パネルに係合可能な係合部と、
前記固定部と前記係合部とを連結する弾性変形可能な第１のバネ部と、
を有し、
前記壁パネルに固定した状態において、前記第１のバネ部は、一端が前記固定部に接続されて垂直に配置された前記壁パネルに対して水平方向に配置され、前記係合部は、前記第１のバネ部の他端側に接続されて前記天井部の外周部分の外側を上方に向けて延びる支持部と、前記支持部の上端側に設けられて前記天井部の外周部分の内側へ向けて延びて前記天井部の上部に引掛けられる引掛け部とを有しているユニット式ルーム用パネル固定部材。
【請求項３】
前記固定部には、前記第１のバネ部と並行して配置される第２のバネ部の一端が接続され、
前記第１のバネ部の固定部側とは反対側の端部には、前記第２のバネ部の固定部側とは反対側の端部下側へ延びる延設部が設けられている、請求項２に記載のユニット式ルーム用パネル固定部材。
【請求項４】
請求項１〜請求項３の何れか１項に記載のユニット式ルーム用パネル固定部材が用いられたユニット式ルームであって、
垂直に配置される壁パネルと、
前記壁パネルの上部に搭載される天井パネルと、
を備え、
前記壁パネルには前記ユニット式ルーム用固定部材の前記固定部が固定され、前記天井パネルには前記係合部が係合されることで、前記壁パネルと前記天井パネルとが連結されている、ユニット式ルーム。
【発明の詳細な説明】
【技術分野】
【０００１】
本発明は、ユニット式ルーム用パネル固定部材、及びユニット式ルームにかかり、特に、ユニット式のバスやシャワールーム等のユニット式ルームの壁パネルと天井パネルとを固定するために用いられるユニット式ルーム用パネル固定部材、及び該ユニット式ルーム用パネル固定部材を用いたユニット式ルームに関する。
【背景技術】
【０００２】
複数枚のパネルを接合して組み立てを行うユニット式ルームとして、例えば、特許文献１、２に開示されたものがある。
【０００３】
ユニットバスは、防水パン、壁パネル、天井パネル、ドア、防水パンのコーナー部分に配置される支柱等から構成されている。
【０００４】
天井パネルと壁パネルとは固定部材で固定されており、従来の固定部材としては、例えば、特許文献１、２等に開示されているものが知られている。
【先行技術文献】
【特許文献】
【０００５】
【特許文献１】特開２０００―８６２６号公報。
【特許文献２】特開２０００―１７８６２号公報。
【発明の概要】
【発明が解決しようとする課題】
【０００６】
ユニットバスの組立の工法において、壁よりも天井を先に設置して後から壁を嵌め込むように施工する天井先組み工法がある。
天井先組みが可能であると、室内側から壁パネルを取り付けできるので施工性が良く、施工時の傷付き等のリスクが少なく、また、狭小空間（建物の壁面とユニットバスの壁パネルとの間隔が狭く、また建物の天井とユニットバスの天井パネルとの間隔が狭い場合）でも組立可能であるという利点がある。
【０００７】
しかしながら、特許文献１に開示の浴室は天井先組み工法を意図したものでは無いため、特許文献１に開示の構造は天井先組み工法のユニット式ルームには適用できない。
特許文献２に開示のユニットバスは、組み立てた壁の上端に天井を載置する方式のものであり、これもまた天井先組み工法を意図しているものでは無い。
【０００８】
また、図７に示すようなビス止め方式では、建物の躯体１００とユニットバスの天井パネル１０２との隙間が狭い場合、ドライバーを縦にして使うことができないため、壁パネル１０４を配置した後、縦にしたビス１０６を締められない問題がある。
【０００９】
さらに、図８（Ａ），（Ｂ）に示すように、壁パネル１０８の上部に天井パネル１１０との連結を行う連結金具１１２を備え、壁パネル１０８の上に天井パネル１１０を載置するユニットバスがあるが、天井先組み工法を意図しているものでは無いため、図８（Ｃ）に示すように、天井パネル１１０が先に配置されていると、壁パネル１０８を室内側から起す際に壁パネル１０８の上端から突出している連結金具１１２が天井パネル１１０に干渉し、壁パネル１０８を組み付けることが出来ない問題がある。
【００１０】
本発明は、上記問題を解決すべく成されたもので、建物とユニット式ルームパネルとの間隔が狭いような場合であっても、ユニット式ルームパネルの天井先組み工法を可能とする、ユニット式ルーム用パネル固定部材、及びユニット式ルームを提供することが目的である。
【課題を解決するための手段】
【００１１】
請求項１に記載の発明は、天井先組み工法に用いられ、ユニット式ルームの天井パネルと壁パネルとを連結して固定するためのユニット式ルーム用パネル固定部材であって、前記壁パネルに固定される固定部と、前記天井パネルに係合可能な係合部と、前記固定部と前記係合部とを連結し、前記天井パネルに対して下方側に向けて弾性変形可能な第１のバネ部と、を有する。
【００１２】
次に、請求項１に記載のユニット式ルーム用パネル固定部材の作用を説明する。
請求項１に記載のユニット式ルーム用パネル固定部材は、例えば、係合部が壁パネルの上端よりも上方に突出するように、固定部をビス、接着剤等で壁パネルの上部に固定する。
【００１３】
ユニット式ルームの組み立て手順としては、例えば、先に支柱の上に天井パネルを搭載して固定しておくことができ、ユニット式ルーム用パネル固定部材の固定された壁パネルを室内に持ち込み、室内側に斜めに倒した壁パネルの下端をフロアパネルの縁部の所定位置に載せ、壁パネルを垂直に起こして行く。
【００１４】
この際、ユニット式ルーム用パネル固定部材の係合部が壁パネルの上部から上方に突出しているので、係合部の上端が天井パネルに下面に当接するが、そのままさらに壁パネルを起こして行くと、係合部が天井パネルで上から押されて第１のバネ部が弾性変形して、係合部の上端の位置が下がるので、係合部は天井パネルで押された状態のままであるが、壁パネルは垂直になるまで起すことが出来る。
【００１５】
壁パネルが垂直になった後は、第１のバネ部を弾性変形させて係合部を天井パネルの上部に係合させてから第１のバネ部を元の状態とすれば、天井パネルに対する係合部の係合状態を保持することができ、これによって天井パネルと壁パネルとの連結が保持され固定される。
なお、第１のバネ部を弾性変形させれば、天井パネルと壁パネルとの連結も解除も簡単にできる。
【００１６】
請求項２に記載の発明は、ユニット式ルームの天井パネルと壁パネルとを連結して固定するためのユニット式ルーム用パネル固定部材であって、前記壁パネルに固定される固定部と、前記天井パネルに係合可能な係合部と、前記固定部と前記係合部とを連結する弾性変形可能な第１のバネ部と、を有し、前記壁パネルに固定した状態において、前記第１のバネ部は、一端が前記固定部に接続されて垂直に配置された前記壁パネルに対して水平方向に配置され、前記係合部は、前記第１のバネ部の他端側に接続されて前記天井部の外周部分の外側を上方に向けて延びる支持部と、前記支持部の上端側に設けられて前記天井部の外周部分の内側へ向けて延びて前記天井部の上部に引掛けられる引掛け部とを有している。
【００１７】
次に、請求項２に記載のユニット式ルーム用パネル固定部材の作用を説明する。
第１のバネ部は、壁パネルを起す際に、係合部が天井パネルに押されることで弾性変形し、壁パネルを垂直に立てた後に、引掛け部を天井の上部に引掛ける際にも弾性変形される。
【００１８】
壁パネルが垂直に立てられると、支柱部は、天井パネルの外周部分の外側に配置され、天井部引掛け部が天井部の上部に引っ掛けられるので、壁パネルは倒れないように天井パネルに対して連結されることとなる。
【００１９】
請求項３に記載の発明は、請求項２に記載のユニット式ルーム用パネル固定部材において、前記固定部には、前記第１のバネ部と並行して配置される第２のバネ部の一端が接続され、前記第１のバネ部の固定部側とは反対側の端部には、前記第２のバネ部の固定部側とは反対側の端部下側へ延びる延設部が設けられている。
【００２０】
次に、請求項３に記載のユニット式ルーム用パネル固定部材の作用を説明する。
請求項３に記載のユニット式ルーム用パネル固定部材では、第１のバネ部の固定部側とは反対側の端部に、第２のバネ部の固定部側とは反対側の端部下側へ延びる延設部が設けられているため、第１のバネ部を下方に変形させる場合（＝係合部が天井パネルに押される場合）には、延設部が第２のバネ部から離れ、少ない力で係合部を押すことができる。
【００２１】
これとは反対に、第１のバネ部を上方に変形させようとした場合、第１のバネ部に設けられた延設部も上方に持ち上がるので、延設部が第２のバネ部を下側から上側へ持ち上げるように変形させることになる。即ち、第１のバネ部を上方に変形させようとした場合、第１のバネ部と第２のバネ部とを共に変形させることとなり、第１のバネ部を下方に変形させる場合に比較して大きな力が必要となる。
【００２２】
天井の上部に引っ掛けられた引掛け部を外すには、第１のバネ部を上方に変形させて引掛け部を天井部の上部から離す必要があるが、引掛け部を外すには第１のバネ部と第２のバネ部とを共に変形させなければならないため、第２のバネ部が無い場合に比較すると、引掛け部は天井の上部から外れ難くなる。
【００２３】
請求項４に記載の発明は、請求項１〜請求項３の何れか１項に記載のユニット式ルーム用パネル固定部材が用いられたユニット式ルームであって、垂直に配置される壁パネルと、前記壁パネルの上部に搭載される天井パネルと、を備え、前記壁パネルには前記ユニット式ルーム用固定部材の前記固定部が固定され、前記天井パネルには前記係合部が係合されることで、前記壁パネルと前記天井パネルとが連結されている。
【００２４】
次に、請求項４に記載のユニット式ルームの作用を説明する。
請求項４に記載のユニット式ルームでは、請求項１〜請求項３の何れか１項に記載のユニット式ルーム用パネル固定部材の固定部が壁パネルに固定されており、壁パネルに固定されたユニット式ルーム用パネル固定部材の係合部が天井パネルに係合されることで、天井パネルと壁パネルとが連結されている。
また、請求項１の作用で説明した様に、天井パネルを配置した後に壁パネルを室内側から組み付けることが可能となる。
【発明の効果】
【００２５】
以上説明したように本発明のユニット式ルーム用固定部材によれば、設置スペースとパネルとの間隔が狭い場合であっても天井を先組みするユニット式ルームが組立可能になる、という優れた効果を有する。
【００２６】
また、本発明のユニット式ルームによれば、設置スペースとパネルとの間隔が狭い場合であっても天井先組みが可能となる。
【図面の簡単な説明】
【００２７】
【図１】ユニット式ルームの分解斜視図である。
【図２】（Ａ）は弾性変形されていないユニット式ルーム用パネル固定部材の斜視図であり、（Ｂ）は一部が弾性変形された状態を示すユニット式ルーム用パネル固定部材の斜視図である。
【図３】（Ａ）壁パネルに取り付けたユニット式ルーム用パネル固定部材の正面図であり、（Ｂ）は壁パネルに取り付けたユニット式ルーム用パネル固定部材の側面図であり、（Ｃ）は壁パネルに取り付けたユニット式ルーム用パネル固定部材の平面図である。
【図４】組立途中のユニット式ルームの斜視図である。
【図５】（Ａ）は壁パネルを起している途中を説明する壁パネル上部付近の縦断面図であり、（Ｂ）は壁パネルを起している途中を説明する壁パネル上部付近のパネル外側から見た側面図である。
【図６】（Ａ）〜（Ｃ）は、壁パネルの連結過程を示す壁パネル上部付近の側面図である。
【図７】（Ａ），（Ｂ）は、従来の浴室の組立手順を示す浴室の断面図である。
【図８】（Ａ）〜（Ｃ）は、従来の浴室の組立手順を示す浴室の断面図である。
【発明を実施するための形態】
【００２８】
以下、図面を参照して本発明のユニット式ルームの一実施形態を説明する。図１には、本実施形態のユニット式ルーム１０の概略構成が分解斜視図にて示されている。
図１に示すように、本実施形態のユニット式ルーム１０は、浴槽１２Ａと床１２Ｂとが一体となった浴槽一体床パネル１２を備えている。浴槽一体床パネル１２の各コーナー部分には、それぞれ支柱１４が図示しない金具で固定され、支柱１４の上端部に天井パネル１６が搭載され固定されている。即ち、本実施形態では、天井パネル１６の荷重が支柱１４で支持されている。
【００２９】
また、浴槽一体床パネル１２の上には、支柱間に壁パネル１８，２０，２２，２４が垂直に配置されている。なお、壁パネル２４の側部にはドア２６が配置されている。
また、壁パネル１８，２０，２２，２４は、室内側から支柱間に配置される。
【００３０】
天井パネル１６には、室外の面（上面）に、補強用の縦リブ１６Ａ及び横リブ１６Ｂが格子状に形成されていると共に、外周縁に沿って外周フランジ１６Ｃが形成されている。また、壁パネル１８，２０，２２，２４には、室外の面に、補強用の縦リブ１８Ａ及び横リブ１８Ｂが格子状に形成されていると共に、外周縁に沿ってフランジ１８Ｃが形成されている。
なお、浴槽一体床パネル１２、天井パネル１６、及び壁パネル１８，２０，２２，２４は、例えば、ＦＲＰ等で形成されている。
【００３１】
次に、本実施形態の壁パネル１８，２０，２２，２４の天井パネル１６への固定方法を、壁パネル１８を参考にして説明する。
壁パネル１８の上部には、壁パネル１８と天井パネル１６とを連結固定するための図２に示すような固定部材２８が取り付けられている。
【００３２】
図２、及び図３に示すように、固定部材２８は、壁パネル１８の縦方向に延びる縦リブ１８Ａの上部に固定される縦方向に長い長方形状とされた板状の固定部２８Ａを備えており、固定部２８Ａの上端からは、縦リブ１８Ａのフランジ面に対して離れる方向へ固定部２８Ａから直角方向に延びる第１連結部分２８Ｂ、第１連結部分２８Ｂの先端から下方へ延びる第２連結部分２８Ｃ、第２連結部分２８Ｃの一方の側（壁パネル１８に近い側）から、固定部２８Ａと直角方向かつ水平に延びる第１延設部分２８Ｄ、第１延設部分２８Ｄの他方の側（壁パネル１８に遠い側）から、第１延設部分２８Ｄと平行に延びる第２延設部分２８Ｅが一体的に形成されている。
【００３３】
第２延設部分２８Ｅの先端側の略半分の部分には、第１延設部分２８Ｄ及び第２延設部分２８Ｅと平行に形成されて第１延設部分２８Ｄの下側に向けて延びる第３延設部分２８Ｆが、第２延設部分２８Ｅの下面側に一体的に設けられると共に、上方に向けて延びる板状の支持部２８Ｇが第２延設部分２８Ｅの側縁に一体的に設けられている。
【００３４】
支持部２８Ｇの上端には、第２延設部分２８Ｅと平行に配置される第４延設部分２８Ｈが一体的に設けられ、第４延設部分２８Ｈの第１延設部分側の先端には、下方に向けて突出する断面三角形状の引掛け部としてのフック部２８Ｉが一体的に設けられている。
【００３５】
この固定部材２８は合成樹脂で形成されているため弾性変形可能であり、例えば、固定部２８Ａを固定した状態で支持部２８Ｇを下方へ押圧すると、図２（Ｂ）に示すように、主に、固定部２８Ａから支持部２８Ｇに至る部分が下方へ湾曲するように弾性変形する。
【００３６】
通常時の固定部材２８は、図２（Ａ）に示すように、第１延設部分２８Ｄの下面に第３延設部分２８Ｆの上面が接触している（なお、場合によっては、第１延設部分２８Ｄと第３延設部分２８Ｆとの間に若干の隙間があっても良い）。
なお、本実施形態の固定部材２８は、ポリアセタール等の弾性を有する熱可塑性樹脂の成形品とすることができる。
【００３７】
（ユニット式ルームの組立手順）
（１）  先ず最初に、壁パネル１８，２０，２２，２４を柱間に配置する前に、図３に示すように、各パネルに固定部材２８を取り付ける。
図３に示すように、固定部材２８は、固定部２８Ａを縦リブ１８Ａの上端付近にネジ３０で固定する。
なお、固定部材２８の第１連結部分２８Ｂの上面は、壁パネル１８の上縁外周フランジ１８Ｂの下面に接触している。
【００３８】
支持部２８Ｇは、図３（Ｃ），（Ｂ）に示すように、壁パネル１８から離れた位置で壁パネル１８の上端よりも上方に突出している。
固定部材２８は、固定部２８Ａがネジで縦リブ１８Ａに固定されると、支持部２８Ｇが壁面に沿って壁パネル上縁に沿って平行に配置され、支持部２８Ｇは、壁パネル１８から外側へ離れた位置で上方に向けて延びるように配置される。
【００３９】
（２）  次に、図４に示すように、浴槽一体床パネル１２の四隅に支柱１４を立てて固定し、その後、２点鎖線で示すように、４本の支柱１４の上に天井パネル１６を搭載して図示しないネジ等を用いて固定する。
【００４０】
（３）  次に、壁パネル１８，２０，２２，２４を浴室内に持ち込み、所定の支柱間に室内側から取り付ける。以下に、代表して壁パネル１８の取り付けを詳細に説明する。先ず、上部が室内側となるように壁パネル１８を斜めにし、下縁部分をフロアの縁部分に配置する。
【００４１】
（４）  次に、壁パネル１８を徐々に起こして行くと、先ず、固定部材２８の一番上部に位置する第４延設部分２８Ｈが、天井パネル１６の下面に当接する。
【００４２】
（５）  さらに壁パネル１８を起してゆくと、図５に示すように、固定部材２８は、第４延設部分２８Ｈが天井パネル１６に押されることで固定部２８Ａから支持部２８Ｇに至る部分（第１連結部分２８Ｂ〜第２延設部分２８Ｅ）が湾曲変形して第４延設部分２８Ｈが押し下げられるので、天井パネル１６が先に取り付けられていても、壁パネル１８を室内側からでも柱間に垂直に立てることができる。
【００４３】
なお、さらに壁パネル１８を起して行き、支持部２８Ｇが天井パネル１６の外周端よりも外側に位置すると、支持部２８Ｇは天井パネル１６の下面から離れるため、支持部２８Ｇは固定部２８Ａから支持部２８Ｇに至る湾曲変形されていた部分の付勢力を受けて上方に持ち上がる。
【００４４】
（６）  次に、図６（Ａ），（Ｂ）に示すように、マイナスドライバ３２の先等でフック部２８Ｉを引っ掛けて支持部２８Ｇを持ち上げてから（ここでは、固定部２８Ａから支持部２８Ｇに至る部分（第１連結部分２８Ｂ〜第２延設部分２８Ｅ）と第１延設部分２８Ｄの両方が上向に湾曲変形する。第１延設部分２８Ｄが湾曲変形する理由は、支持部２８Ｇを持ち上げて第２延設部分２８Ｅが上向に湾曲すると、第２延設部分２８Ｅの先端側で一体となって第１延設部分２８Ｄの下側に位置していた第３延設部分２８Ｆが持ち上がって第１延設部分２８Ｄを下から持ち上げるからである。）、マイナスドライバ３２の先を引き抜くと、弾性変形された部分が元の状態（位置）に戻り、図６（Ｃ），（Ｄ）に示すように  フック部２８Ｉが天井パネル１６の外周フランジ１６Ｃに引っ掛かり、外周フランジ１６Ｃの上端部分が固定部材２８の支持部２８Ｇとフック部２８Ｉとの間に挟まれ、固定部材２８が天井パネル１６の外周フランジ１６Ｃに連結される、即ち、壁パネル１８が天井パネル１６に連結される。
【００４５】
以上により、壁パネル１８と天井パネル１６との連結は終了するが、固定をより確実にするために、天井パネル１６の外周フランジ１６Ｃを貫通させたタッピンネジ３４を、支持部２８Ｇの長孔２８Ｊに捩じ込み、固定部材２８を天井パネル１６の外周フランジ１６Ｃに固定しても良い。
【００４６】
図６（Ｄ）に示すように、タッピンネジ３４は横向きに取り付けられるので、タッピンネジ３４を締め付けるドライバー３６は水平にすれば良く、ドライバー３６を縦にする必要がないため、建物の天井３８とユニットの天井パネル１６との間隔が狭い場合でも、タッピンネジ３４の締め付けができる。
【００４７】
（７）  なお、その他の壁パネル２０，２２，２４においても、壁パネル１８と同様にして室内側から柱間に取り付けを行うことができる。
【００４８】
なお、上記実施形態では、本発明を浴室に適用した例を説明したが、本発明は浴室に限らず、浴槽の無いシャワールーム等、浴室以外にも適用可能である。
また、固定部材２８，４０，４２は、合成樹脂に限らず、ステンレス等の金属材料で形成されていても良い。
【符号の説明】
【００４９】
１０      ユニット式ルーム
１２      浴槽一体床パネル
１２Ａ    浴槽
１２Ｂ    床
１４      支柱
１６      天井パネル
１８      壁パネル
２０      壁パネル
２２      壁パネル
２４      壁パネル
２８      固定部材（ユニット式ルーム用パネル固定部材）
２８Ｄ    第１延設部分（第２のバネ部）
２８Ｅ    第２延設部分（第１のバネ部）    
２８Ｆ    第３延設部分（延設部）
２８Ｉ    フック部（係合部）
２８Ｇ    支持部
２８Ｂ    連結部分
２８Ｃ    連結部分
【図１】
0005623801.tif 000002
【図２】
0005623801.tif 000003
【図３】
0005623801.tif 000004
【図４】
0005623801.tif 000005
【図５】
0005623801.tif 000006
【図６】
0005623801.tif 000007
【図７】
0005623801.tif 000008
【図８】
0005623801.tif 000009